【手続補正書】
【提出日】令和1年8月30日(2019.8.30)
【手続補正１】
【補正対象書類名】特許請求の範囲
【補正対象項目名】全文
【補正方法】変更
【補正の内容】
【特許請求の範囲】
【請求項１】
複数の側部を提供するコンピューティングデバイスであって、前記複数の側部のそれぞれは、前記コンピューティングデバイスの電子ディスプレイスクリーンと前記コンピューティングデバイスの背面との間に配設されており、前記コンピューティングデバイスは、前記コンピューティングデバイスの幅よりも大きい長さを有している、コンピューティングデバイスと、
前記コンピューティングデバイスと電子通信し１対のコントロールモジュールを提供する入力デバイスであって、前記１対のコントロールモジュールは、前記コンピューティングデバイスの前記複数の側部のうちの少なくとも２つの対向する側部において、前記コンピューティングデバイスに隣接し、前記コンピューティングデバイスを閉じ込めており、前記１対のコントロールモジュールは、前記１対のコントロールモジュールが前記コンピューティングデバイスの前記幅を適応的にぴったりと収容するように構成され、代替的に、前記１対のコントロールモジュールが第２のコンピューティングデバイスの幅を適応的にぴったりと収容するように構成されており、前記第２のコンピューティングデバイスの前記幅は、前記コンピューティングデバイスの前記幅よりも大きく、前記第２のコンピューティングデバイスは、前記第２のコンピューティングデバイスの前記幅よりも大きい長さを有している、入力デバイスと、
前記１対のコントロールモジュールの一方を他方に固定している構造的ブリッジであって、前記構造的ブリッジは、前記構造的ブリッジが前記コンピューティングデバイスの前記長さを適応的にぴったりと収容するように構成され、代替的に、前記構造的ブリッジが前記第２のコンピューティングデバイスの前記長さを適応的にぴったりと収容するように構成されており、前記第２のコンピューティングデバイスの前記長さは、前記コンピューティングデバイスの前記長さよりも大きい、構造的ブリッジと、
を備える、デバイス。
【手続補正２】
【補正対象書類名】明細書
【補正対象項目名】００８４
【補正方法】変更
【補正の内容】
【００８４】
本発明のさまざまな実施形態の多数の特性および構成が、本発明のさまざまな実施形態の構造および機能の詳細とともに、先述の説明において述べられてきたが、この詳細な説明は、単に例示目的のものであり、また、特にパーツの構造および配置の事項において、添付の特許請求の範囲の表現に用いられる用語の広義の一般的な意味によって示されている最大限の範囲まで、本発明の原理の範囲内で、詳細について変更を行うことが可能であるということが理解されるべきである。たとえば、特定のエレメントは、本発明の精神および範囲から逸脱することなく、特定のコンピューティングデバイスに応じて変化することが可能である。
［形態１］
複数の側部を提供するコンピューティングデバイスであって、前記複数の側部のそれぞれは、前記コンピューティングデバイスの電子ディスプレイスクリーンと前記コンピューティングデバイスの背面との間に配設されており、前記コンピューティングデバイスは、前記コンピューティングデバイスの幅よりも大きい長さを有している、コンピューティングデバイスと、
前記コンピューティングデバイスと電子通信し１対のコントロールモジュールを提供する入力デバイスであって、前記１対のコントロールモジュールは、前記コンピューティングデバイスの前記複数の側部のうちの少なくとも２つの対向する側部において、前記コンピューティングデバイスに隣接し、前記コンピューティングデバイスを閉じ込めており、前記１対のコントロールモジュールは、前記１対のコントロールモジュールが前記コンピューティングデバイスの前記幅を適応的にぴったりと収容するように構成され、代替的に、前記１対のコントロールモジュールが第２のコンピューティングデバイスの幅を適応的にぴったりと収容するように構成されており、前記第２のコンピューティングデバイスの前記幅は、前記コンピューティングデバイスの前記幅よりも大きく、前記第２のコンピューティングデバイスは、前記第２のコンピューティングデバイスの前記幅よりも大きい長さを有している、入力デバイスと、
前記１対のコントロールモジュールの一方を他方に固定している構造的ブリッジであって、前記構造的ブリッジは、前記構造的ブリッジが前記コンピューティングデバイスの前記長さを適応的にぴったりと収容するように構成され、代替的に、前記構造的ブリッジが前記第２のコンピューティングデバイスの前記長さを適応的にぴったりと収容するように構成されており、前記第２のコンピューティングデバイスの前記長さは、前記コンピューティングデバイスの前記長さよりも大きい、構造的ブリッジと、
を備える、デバイス。
［形態２］
形態１に記載のデバイスであって、前記１対のコントロールモジュールのうちの第１のものは、前記構造的ブリッジと連絡する保持メカニズムを含み、前記保持メカニズムは、前記構造的ブリッジを固定しており、前記構造的ブリッジが前記コンピューティングデバイスの前記長さを適応的に収容するようになっており、代替的に、前記構造的ブリッジが前記第２のコンピューティングデバイスの前記長さを適応的に収容するようになっており、前記第２のコンピューティングデバイスの前記長さは、前記コンピューティングデバイスの前記長さよりも大きい、デバイス。
［形態３］
形態１に記載のデバイスであって、前記１対のコントロールモジュールのうちの第２のものは、前記構造的ブリッジと連絡するテンショニングメカニズムを含み、前記テンショニングメカニズムは、前記構造的ブリッジを固定しており、前記テンショニングメカニズムと協働する前記構造的ブリッジが、前記コンピューティングデバイスの前記長さをぴったりと収容するようになっており、代替的に、前記テンショニングメカニズムと協働する前記構造的ブリッジが、前記第２のコンピューティングデバイスの前記長さをぴったりと収容するようになっており、前記第２のコンピューティングデバイスの前記長さは、前記コンピューティングデバイスの前記長さよりも大きい、デバイス。
［形態４］
形態１に記載のデバイスであって、前記１対のコントロールモジュールのそれぞれは、前記コンピューティングデバイスと連絡するサイジングメカニズムを含み、前記サイジングメカニズムのそれぞれは、それぞれのサイジングメカニズムが前記コンピューティングデバイスの前記幅を適応的に収容するように構成され、代替的に、それぞれのサイジングメカニズムが前記第２のコンピューティングデバイスの前記幅を適応的に収容するように構成されており、前記第２のコンピューティングデバイスの前記幅は、前記コンピューティングデバイスの前記幅よりも大きい、デバイス。
［形態５］
形態２に記載のデバイスであって、前記１対のコントロールモジュールのうちの前記第１のものは、調節構造を有するベースと、前記ベースと連絡するトップカバーとを提供しており、前記保持メカニズムは、
前記構造的ブリッジと連絡するボスと、
前記調節構造によって前記ボスと相互作用する調節構造体であって、前記ベースは、前記調節構造体と前記ボスとの間に配設されている、調節構造体と、
前記ボスと協働し、前記調節構造体が前記ベースに対して第１の方向に活性化させられるときに前記ベースに対して第１の位置に前記構造的ブリッジを保持するレストレイントであって、前記調節構造体が前記ベースに対して第２の方向に活性化させられるときには、前記調節構造体は、前記ベースに対して第２の位置に前記構造的ブリッジをさらに保持する、レストレイントと
を含む、デバイス。
［形態６］
形態５に記載のデバイスであって、前記ボスは、前記ベースと協働する拘束構造を提供しており、前記拘束構造は、前記第１の方向への前記調節構造体の活性化に続いて、前記ベースに対して前記第１の位置に前記構造的ブリッジを維持する、デバイス。
［形態７］
形態６に記載のデバイスであって、前記レストレイントは、ばね部材である、デバイス。
［形態８］
形態７に記載のデバイスであって、前記第２の方向は、前記第１の方向とは反対側の方向である、デバイス。
［形態９］
形態３に記載のデバイスであって、前記１対のコントロールモジュールのうちの前記第２のものは、ボトムカバーと、前記ボトムカバーと協働するトップカバーを含み、前記ボトムカバーは、位置ガイドを提供しており、前記テンショニングメカニズムは、
前記構造的ブリッジと連絡する取り付けボスと、
前記取り付けボスと協働する取り付けステイであって、前記取り付けステイは、前記取り付けボスと協働して、前記構造的ブリッジを閉じ込めており、前記構造的ブリッジは、前記ボトムカバーと前記トップカバーとの間に配設されている、取り付けステイと、
前記取り付けステイと連絡する付勢構造体であって、前記構造的ブリッジと前記１対のコントロールモジュールのうちの前記第２のものとの間に可変のテンションを提供している、付勢構造体と
を含む、デバイス。
［形態１０］
形態９に記載のデバイスであって、前記取り付けサポートは、前記位置ガイドと相互作用するガイドアパーチャを含み、前記ガイドアパーチャと前記位置ガイドの相互作用は、前記構造的ブリッジと前記１対のコントロールモジュールのうちの前記第２のものとの間のアライメントを維持する、デバイス。
［形態１１］
形態１０に記載のデバイスであって、前記ガイドアパーチャは、スロット形状にされたアパーチャである、デバイス。
［形態１２］
形態１１に記載のデバイスであって、前記付勢構造体は、コイル状のばねであり、前記トップカバーと前記ボトムカバーとの間の協働は、前記ボトムカバーと協働する調節構造体の第１の位置に関連付けられる第１の位置から、前記調節構造体の第２の位置に関連付けられる第２の位置へ、前記構造的ブリッジの移動を促進させる、デバイス。
［形態１３］
形態４に記載のデバイスであって、前記１対のコントロールモジュールのうちの前記第１のものは、サイジングトグル閉じ込め構造体およびスライドサポート閉じ込め構造体を有するベースを提供しており、前記サイジングメカニズムは、
前記サイジングトグル閉じ込め構造体と連絡するサイジングトグルと、
前記サイジングトグル閉じ込め構造体と相互作用するサイジングトグルレストレイントであって、前記サイジングレストレイントは、前記ベースに対して前記サイジングトグルの回転を推進する、サイジングトグルレストレイントと、
前記ベースと協働し、前記サイジングトグルに作用する捩じり力構造体であって、第１の捩じり力の下で前記サイジングトグルが第１の位置にあることを促進させ、代替的に、第２の捩じり力の下で前記サイジングトグルが第２の位置にあることを促進させ、前記第２の捩じり力は、前記第１の捩じり力よりも大きい、捩じり力構造体と
を含む、デバイス。
［形態１４］
形態１３に記載のデバイスであって、前記デバイスは、前記スライドサポート閉じ込め構造体の中に入れ子にされているコンピューティングデバイススライドパッドをさらに含む、デバイス。
［形態１５］
形態１４に記載のデバイスであって、前記捩じり力構造体は、コイル状のばねである、デバイス。
［形態１６］
形態１５に記載のデバイスであって、前記サイジングトグル閉じ込め構造体は、摩擦表面を提供しており、前記摩擦表面は、前記コンピューティングデバイスが前記入力デバイスによって拘束されるときに、前記第１の位置から前記第２の位置への前記サイジングトグルの不注意な移動を抑制する、デバイス。
［形態１７］
形態２に記載のデバイスであって、前記１対のコントロールモジュールのうちの第２のものは、前記構造的ブリッジと連絡するテンショニングメカニズムを含み、前記テンショニングメカニズムは、前記構造的ブリッジを固定しており、前記構造的ブリッジが前記コンピューティングデバイスの前記長さをぴったりと収容するようになっており、代替的に、前記構造的ブリッジが前記第２のコンピューティングデバイスの前記長さをぴったりと収容するようになっており、前記第２のコンピューティングデバイスの前記長さは、前記コンピューティングデバイスの前記長さよりも大きい、デバイス。
［形態１８］
形態１７に記載のデバイスであって、前記１対のコントロールモジュールのそれぞれは、前記コンピューティングデバイスと連絡するサイジングメカニズムを含み、前記サイジングメカニズムのそれぞれは、それぞれのサイジングメカニズムが前記コンピューティングデバイスの前記幅を適応的に収容するように構成され、代替的に、それぞれのサイジングメカニズムが前記第２のコンピューティングデバイスの前記幅を適応的に収容するように構成されており、前記第２のコンピューティングデバイスの前記幅は、前記コンピューティングデバイスの前記幅よりも大きい、デバイス。
［形態１９］
形態１８に記載のデバイスであって、前記１対のコントロールモジュールのうちの前記第１のものは、調節構造を有するベースを提供しており、前記保持メカニズムは、
前記構造的ブリッジと連絡するボスと、
前記調節構造によって前記ボスと相互作用する調節構造体であって、前記ベースは、前記調節構造体と前記ボスとの間に配設されている、調節構造体と、
前記ボスと協働し、前記調節構造体が前記ベースに対して第１の方向に活性化させられるときに前記ベースに対して第１の位置に前記構造的ブリッジを保持するレストレイントであって、前記調節構造体が前記ベースに対して第２の方向に活性化させられるときには、前記調節構造体は、前記ベースに対して第２の位置に前記構造的ブリッジをさらに保持する、レストレイントと
を含む、デバイス。
［形態２０］
形態１９に記載のデバイスであって、前記ボスは、前記ベースと協働する拘束構造を提供しており、前記拘束構造は、前記第１の方向への前記調節構造体の活性化に続いて、前記ベースに対して前記第１の位置に前記構造的ブリッジを維持する、デバイス。
［形態２１］
形態２０に記載のデバイスであって、前記レストレイントは、ばね部材である、デバイス。
［形態２２］
形態２１に記載のデバイスであって、前記第２の方向は、前記第１の方向とは反対側の方向である、デバイス。
［形態２３］
形態２２に記載のデバイスであって、前記１対のコントロールモジュールのうちの前記第２のものは、ボトムカバーを含み、前記ボトムカバーは、位置ガイドを提供しており、テンショニングメカニズムは、
前記構造的ブリッジと連絡する取り付けボスと、
前記取り付けボスと協働する取り付けサポートであって、前記取り付けボスと協働して、前記構造的ブリッジを固定し、前記構造的ブリッジは、前記取り付けボスと前記取り付けサポートとの間に配設されている、取り付けサポートと、
前記取り付けサポートと連絡する付勢構造体であって、前記構造的ブリッジと前記１対のコントロールモジュールのうちの第２のものとの間にテンションを提供している、付勢構造体と
を含む、デバイス。
［形態２４］
形態２３に記載のデバイスであって、前記取り付けサポートは、前記位置ガイドと相互作用するガイド開口を含み、前記ガイド開口と前記位置ガイドの相互作用は、前記構造的ブリッジと前記１対のコントロールモジュールのうちの前記第２のものとの間のアライメントを維持する、デバイス。
［形態２５］
形態２４に記載のデバイスであって、前記ガイド開口は、スロット形状にされた開口である、デバイス。
［形態２６］
形態２５に記載のデバイスであって、前記付勢構造体は、コイル状のばねである、デバイス。
［形態２７］
形態２６に記載のデバイスであって、前記１対のコントロールモジュールのうちの前記第１のものは、サイジングトグル閉じ込め構造体およびスライドサポート閉じ込め構造体を有するベースを提供しており、前記サイジングメカニズムは、
前記サイジングトグル閉じ込め構造体と連絡するサイジングトグルと、
前記サイジングトグル閉じ込め構造体と相互作用するサイジングトグルレストレイントであって、前記サイジングレストレイントは、前記ベースに対して前記サイジングトグルの回転を推進する、サイジングトグルレストレイントと、
前記ベースと協働し、前記サイジングトグルに作用する捩じり力構造体であって、第１の捩じり力の下で前記サイジングトグルが第１の位置にあることを促進させ、代替的に、第２の捩じり力の下で前記サイジングトグルが第２の位置にあることを促進させ、前記第２の捩じり力は、前記第１の捩じり力よりも大きい、捩じり力構造体と
を含む、デバイス。
［形態２８］
形態２７に記載のデバイスであって、前記デバイスは、前記スライドサポート閉じ込め構造体の中に入れ子にされているコンピューティングデバイススライドパッドをさらに含む、デバイス。
［形態２９］
形態２８に記載のデバイスであって、前記捩じり力構造体は、コイル状のばねである、デバイス。
［形態３０］
形態２９に記載のデバイスであって、前記サイジングトグル閉じ込め構造体は、摩擦表面を提供しており、前記摩擦表面は、前記コンピューティングデバイスが前記入力デバイスによって拘束されるときに、前記第１の位置から前記第２の位置への前記サイジングトグルの不注意な移動を抑制する、デバイス。